(57)【要約】【課題】コンテンツデータの再生障害を発生させないようにすることができ、かつ、装置費用を抑えることができるサーバ装置を提供することである。【解決手段】サーバ装置は、主系記憶部と、予備系記憶部と、制御部とを備える。主系記憶部は、コンテンツデータを記憶する。予備系記憶部は、主系記憶部に記憶されたコンテンツデータの一部を記憶する。制御部は、コンテンツデータと、コンテンツデータの再生開始時刻と、に基づいて、予め定められた再生時間分のコンテンツデータを、コンテンツデータの一部として予備系記憶部に記憶させる。【選択図】図１
2015050692.tif 000002
【特許請求の範囲】
【請求項１】
コンテンツデータを記憶する主系記憶部と、
前記主系記憶部に記憶された前記コンテンツデータの一部を記憶する予備系記憶部と、
前記コンテンツデータと、前記コンテンツデータの再生開始時刻と、に基づいて、予め定められた再生時間分の前記コンテンツデータを前記予備系記憶部に記憶させる制御部と、
を備えることを特徴とするサーバ装置。
【請求項２】
前記制御部は、前記再生時間分のコンテンツデータのうち、再生が終了していないコンテンツデータのみを、前記コンテンツデータの一部として前記予備系記憶部に記憶させることを特徴とする請求項１に記載のサーバ装置。
【請求項３】
前記制御部は、画像データ及び音声データの少なくとも一方を、前記コンテンツデータの一部として前記予備系記憶部に記憶させることを特徴とする請求項２に記載のサーバ装置。
【請求項４】
前記制御部は、前記主系記憶部の異常を検出した場合、前記予備系記憶部に記憶されている前記コンテンツデータを再生させることを特徴とする請求項１から請求項３のいずれか一項に記載のサーバ装置。
【発明の詳細な説明】
【技術分野】
【０００１】
本発明の実施形態は、例えば、放送局向けの映像コンテンツデータを記憶するサーバ装置に関する。
【背景技術】
【０００２】
運用系と予備系ともにビデオサーバまたは映像ファイルデータ転送のネットワークに障害が発生しても、映像ファイルデータ（コンテンツデータ）を再生してオンエアさせることを目的としたビデオサーバシステム（サーバ装置）が、提案されている（例えば、特許文献１を参照）。
【先行技術文献】
【特許文献】
【０００３】
【特許文献１】特開２０１２−２５３７３３号公報
【発明の概要】
【発明が解決しようとする課題】
【０００４】
このような従来のサーバ装置では、再生装置へのコンテンツデータの出力が途切れることによるコンテンツデータの再生障害を発生させないために、再生装置にコンテンツデータを出力する主系記憶部が多重化されている。サーバ装置には、主系記憶部が単純に多重化されているため装置費用を抑えることができない、という問題がある。
【０００５】
本発明が解決しようとする課題は、コンテンツデータの再生障害を発生させないようにすることができ、かつ、装置費用を抑えることができるサーバ装置を提供することである。
【課題を解決するための手段】
【０００６】
実施形態のサーバ装置は、主系記憶部と、予備系記憶部と、制御部と、を備える。主系記憶部は、コンテンツデータを記憶する。予備系記憶部は、主系記憶部に記憶されたコンテンツデータの一部を記憶する。制御部は、コンテンツデータと、コンテンツデータの再生開始時刻と、に基づいて、予め定められた再生時間分のコンテンツデータを予備系記憶部に記憶させる。
【図面の簡単な説明】
【０００７】
【図１】第１実施形態における、サーバシステムの構成例を示すブロック図である。
【図２】第１実施形態における、再生リストの第１例を表により示す図である。
【図３】第１実施形態における、サーバ装置の動作手順例を示すフローチャートである。
【図４】第２実施形態における、再生リストの第２例を表により示す図である。
【発明を実施するための形態】
【０００８】
[第１実施形態]
本実施形態について図面を参照して詳細に説明する。図１には、サーバシステムの構成例が、ブロック図により示されている。本実施形態に係るサーバシステム１００は、例えば、コンテンツ（所定の素材を含む番組）を放送するためのシステムの一部として、放送局に備えられる。コンテンツデータ（素材データ）は、記憶部に記憶可能なデジタルデータであって、例えば、画像データ（映像データ）、音声データである。
【０００９】
サーバシステム１００は、サーバ装置１１０と、カメラ装置１２０と、再生デッキ１３０と、編集装置１４０と、放送設備１５０と、モニタ装置１６０と、操作端末１７０とを備える。サーバ装置１１０は、カメラ装置１２０、再生デッキ１３０又は編集装置１４０から、コンテンツデータを受信し、受信したコンテンツデータを記憶（収録、格納）する。また、サーバ装置１１０は、記憶したコンテンツデータを、操作端末１７０による制御に基づいて再生し、再生したコンテンツデータを放送設備１５０に送信する。また、サーバ装置１１０は、再生したコンテンツデータを、モニタ装置１６０に送信してもよい。
【００１０】
操作端末１７０（上位制御装置、保守端末）は、ユーザによる操作に応じて、各種データをサーバ装置１１０に送信する。ここで、各種データは、例えば、制御コマンド、再生リスト（図２を用いて後述する）である。また、制御コマンドは、例えば、再生するコンテンツデータを選択するための指示（識別コード）、再生開始指示（オンエア指示）、又は、終了指示（例えば、再生終了指示）である。
【００１１】
図２には、再生リストの第１例が表により示されている。再生リスト（オンエア・リスト）には、識別コードと、再生開始時刻（オンエア時刻）とが、互いに対応付けられて予め登録されている。再生開始時刻は、コンテンツデータが再生される開始時刻である。識別コードは、予め定められた単位でコンテンツデータを識別するためのコード情報である。ここで、予め定められた単位とは、例えば、時間、シーン、チャプタ、ファイル、ストリーム又はフレームの単位である。つまり、識別コードは、コンテンツデータ（素材データ）を、例えば、再生時間の単位で識別するためのコード情報である。
【００１２】
図２では、識別コード「Ａ１」と、再生開始時刻「０９：００：００：００Ｆ（Ｆはフレーム）」と、が対応付けられている。また、識別コード「Ａ２」と、再生開始時刻「０９：０３：００：００Ｆ」と、が対応付けられている。また、識別コード「Ａ３」と、再生開始時刻「０９：１５：００：００Ｆ」と、が対応付けられている。また、識別コード「Ａ４」と、再生開始時刻「０９：２５：００：００Ｆ」と、が対応付けられている。また、識別コード「Ｂ１」と、再生開始時刻「１０：００：００：００Ｆ」と、が対応付けられている。
【００１３】
図１において、カメラ装置１２０は、ユーザによる操作に基づいて映像の撮影を行うとともに、マイク（不図示）を介して、音声を収録する。カメラ装置１２０は、撮像した画像データ（映像データ）と、収録した音声データとを対応付けて（同期させて）、コンテンツデータを生成する。カメラ装置１２０は、ユーザによる操作に基づいて、生成したコンテンツデータを、サーバ装置１１０に送信する。
【００１４】
再生デッキ１３０は、ユーザによる操作に基づいて、各種の記録媒体（記録メディア）に記録されたコンテンツデータを、サーバ装置１１０に送信する。ここで、各種の記録媒体は、例えば、フラッシュメモリ（半導体素子メモリ）、テープメディア又はハードディスクである。また、各種の記録媒体は、例えば、映画フィルム又はオーディオカセットでもよい。また、再生デッキ１３０は、コンテンツデータを、ベースバンド信号によりサーバ装置１１０に送信してもよい。
【００１５】
編集装置１４０は、ユーザによる操作に基づいて、編集したコンテンツデータをサーバ装置１１０に送信（転送）する。コンテンツデータは、ＭＸＦ（Ｍａｔｅｒｉａｌ ｅＸｃｈａｎｇｅ Ｆｏｒｍａｔ）ファイルの形式により、送信されてもよい。
【００１６】
サーバ装置１１０は、制御部１１１と、収録部群１１２と、主系記憶部群１１３と、予備系記憶部１１４と、再生部群１１５とを備える。サーバ装置１１０は、キーボードなどの操作部（不図示）を、さらに備えてもよい。この操作部は、ユーザによる操作入力を受け付け、受け付けた操作入力に応じた信号（例えば、制御コマンドを示す信号）を、制御部１１１に出力してもよい。
【００１７】
制御部１１１は、サーバ装置１１０の各部のリソースの管理及び制御を実行する。より具体的には、制御部１１１は、収録部群１１２と、主系記憶部群１１３と、予備系記憶部１１４と、再生部群１１５とを制御する。制御部１１１は、制御部用の中央演算処理装置（ＣＰＵ：Ｃｅｎｔｒａｌ Ｐｒｏｃｅｓｓｉｎｇ Ｕｎｉｔ）（不図示）と、制御部用のメモリ（不図示）とを有する。
【００１８】
この制御部用のメモリには、制御部１１１を動作させるためのプログラムと、再生リスト（図２を参照）とが記憶されてもよい。また、この制御部用のメモリには、主系記憶部群１１３及び予備系記憶部１１４のどのアドレスにコンテンツデータが記憶されているかを示すアドレス情報が、記憶されてもよい。
【００１９】
制御部１１１は、収録部群１１２が受信したコンテンツデータを、主系記憶部群１１３に記憶させる。また、制御部１１１は、現在時刻情報を、時計部（不図示）から取得する。制御部１１１は、操作端末１７０から受信した再生リストから再生開始時刻を抽出する。
【００２０】
制御部１１１は、例えば、これから再生しようとしている（例えば、現在時刻から未来方向への）予め定められた再生時間分の再生開始時刻に対応付けられた識別コードが示すコンテンツデータを、予備系記憶部１１４に記憶させる。つまり、制御部１１１は、主系記憶部群１１３に記憶されているコンテンツデータの一部を、再生リストに基づいて、現在時刻から近い再生開始時刻に対応するコンテンツデータから順に、予備系記憶部１１４に複製する。
【００２１】
制御部１１１は、現在時刻と等しい再生開始時刻に対応付けられた識別コードが示すコンテンツデータを、主系記憶部群１１３から再生部群１１５に出力させるとともに、予備系記憶部１１４からも再生部群１１５に出力させる。
【００２２】
制御部１１１は、再生リストに基づいて、現在時刻と等しい再生開始時刻に対応付けられた識別コードが示すコンテンツデータを、再生部群１１５に再生させる。ここで、制御部１１１は、主系記憶部群１１３に異常があるか否かを判定する。主系記憶部群１１３に異常がない場合、制御部１１１は、主系記憶部群１１３に記憶されたコンテンツデータを、再生部群１１５に再生させる。一方、主系記憶部群１１３に異常がある場合、制御部１１１は、予備系記憶部１１４に記憶されたコンテンツデータを、再生部群１１５に再生させる。
【００２３】
また、制御部１１１は、再生終了時刻が現在時刻を経過したコンテンツデータを、予備系記憶部１１４から削除する。ここで、制御部１１１は、再生リスト（図２を参照）に登録されている複数の再生開始時刻が現在時刻を経過した場合に、再生終了時刻が現在時刻を経過した少なくとも一つのコンテンツデータが予備系記憶部１１４に記憶されていることを、認識してもよい。
【００２４】
また、制御部１１１は、コンテンツデータを削除する指示を、端末装置１７０（上位制御装置）から受信した場合、コンテンツデータを削除する指示に基づいて、その指示が示す識別コードに対応付けられたコンテンツデータを、主系記憶部群１１３及び予備系記憶部１１４から削除する。
【００２５】
収録部群１１２は、収録部１１２ａ‐１〜１１２ａ‐Ｍ（Ｍは、１以上の整数）を有する。以下、収録部１１２ａ‐１〜１１２ａ‐Ｍに共通する事項については、符号Ｍを省略して、「収録部１１２ａ」と表記する。収録部１１２ａは、カメラ装置１２０、再生デッキ１３０又は編集装置１４０から、コンテンツデータを受信する。
【００２６】
収録部１１２ａは、収録部用の中央演算処理装置（不図示）と、収録部用のメモリ（不図示）と、収録処理部（不図示）とを有する。収録部用のメモリは、受信されたコンテンツデータを、一時的に記憶する。収録処理部は、一時的に記憶されたコンテンツデータを、収録部用の中央演算処理装置による制御に基づいて符号化（エンコード）して、符号化したコンテンツデータを、主系記憶部群１１３に出力する。
【００２７】
この符号化方式は、例えば、ＭＰＥＧ２（Ｍｏｖｉｎｇ Ｐｉｃｔｕｒｅ Ｅｘｐｅｒｔｓ Ｇｒｏｕｐ  ２）規格、又は、Ｈ．２６４規格に基づく方式でもよい。なお、収録処理部は、符号化したコンテンツデータを分割して、主系記憶部群１１３に出力してもよい。
【００２８】
主系記憶部群１１３は、記憶部１１３ａ‐１〜１１３ａ‐Ｎ（Ｎは、１以上の整数）を有する。ここで、主系記憶部群１１３は、主系記憶部群の単位では、多重化されなくてもよい。すなわち、主系記憶部群１１３自体は、複数でなくてもよい。
【００２９】
以下、記憶部１１３ａ‐１〜１１３ａ‐Ｎに共通する事項については、符号Ｎを省略して、「記憶部１１３ａ」と表記する。記憶部１１３ａは、収録部群１１２から、符号化したコンテンツデータを取得する。符号化されたコンテンツデータは、予め定められた単位（例えば、時間、シーン、チャプタ、ファイル、ストリーム又はフレームの単位）で、記憶部１１３ａ‐１〜１１３ａ‐Ｎに記憶される。
【００３０】
主系記憶部群１１３は、予め定められた単位で記憶部１１３ａ‐１〜１１３ａ‐Ｎに分割して記憶された符号化されたコンテンツデータを、制御部１１１による制御に基づいて統合して、統合されたコンテンツデータを、再生部群１１５に出力する。ここで、主系記憶部群１１３は、現在時刻と等しい再生開始時刻に対応付けられた識別コードが示すコンテンツデータを、制御部１１１による制御に基づいて、再生部群１１５に出力する。
【００３１】
主系記憶部群１１３は、記憶部１１３ａ‐１〜１１３ａ‐Ｎに分割して記憶された符号化されたコンテンツデータを、制御部１１１による制御に基づいて統合して、統合されたコンテンツデータを複製して、予備系記憶部１１４に出力する。ここで、主系記憶部群１１３は、これから再生しようとしている予め定められた再生時間分の再生開始時刻に対応付けられた識別コードが示すコンテンツデータを、制御部１１１による制御に基づいて、予備系記憶部１１４に出力する。なお、この予め定められた再生時間は、主系記憶部群１１３の記憶容量が設計される際に、すなわち、サーバシステム１００が構築される際に、定められてもよい。
【００３２】
つまり、主系記憶部群１１３は、これから再生しようとしている予め定められた再生時間分のコンテンツデータ（直近に再生されることになるコンテンツデータ）を、主系記憶部群１１３が記憶した符号化したコンテンツデータの一部として、予備系記憶部１１４に記憶させる。ここで、符号化したコンテンツデータを予備系記憶部１１４に記憶させる単位は、識別コード単位でもよいし、識別コード単位でなくてもよい。換言すれば、主系記憶部群１１３は、識別コード単位よりも細かくコンテンツデータをさらに分割して、予備系記憶部１１４に記憶させてもよい。
【００３３】
記憶部１１３ａは、主系記憶部用の中央演算処理装置（不図示）と、主系記憶部用のメモリ（不図示）とを有する。主系記憶部用のメモリは、フラッシュメモリ（半導体素子メモリ）、又は、ハードディスクドライブでもよい。また、主系記憶部用のメモリは、符号化されたコンテンツデータを、リングバッファにより記憶してもよい。また、主系記憶部用のメモリは、符号化されたコンテンツデータの破損情報を記憶してもよい。
【００３４】
予備系記憶部１１４は、主系記憶部群１１３が記憶した符号化したコンテンツデータの一部（複製されたコンテンツデータ）を、主系記憶部群１１３から取得して記憶する。上述したように、予備系記憶部１１４は、これから再生しようとしている予め定められた再生時間分の再生開始時刻に対応付けられた識別コードが示すコンテンツデータを、制御部１１１による制御に基づいて記憶する。また、予備系記憶部１１４は、再生終了時刻が現在時刻を経過したコンテンツデータを、制御部１１１による制御に基づいて、予備系記憶部１１４から削除する。
【００３５】
予備系記憶部１１４の記憶容量は、主系記憶部群１１３の記憶容量と比較して小さくてもよい。また、予備系記憶部１１４は、多重化されなくてもよい。すなわち、予備系記憶部１１４は、複数でなくてもよい。
【００３６】
予備系記憶部１１４は、フラッシュメモリ（半導体素子メモリ）、又は、ハードディスクドライブでもよい。また、予備系記憶部１１４は、符号化されたコンテンツデータを、リングバッファにより記憶してもよい。また、予備系記憶部１１４は、符号化されたコンテンツデータの破損情報を記憶してもよい。
【００３７】
再生部群１１５は、再生部１１５ａ‐１〜１１５ａ‐Ｐ（Ｐは、１以上の整数）を有する。以下、再生部１１５ａ‐１〜１１５ａ‐Ｐに共通する事項については、符号Ｐを省略して、「再生部１１５ａ」と表記する。再生部１１５ａは、主系記憶部群１１３に異常がない場合、制御部１１１による制御に基づいて、主系記憶部群１１３に記憶されたコンテンツデータを再生（デコード）する。一方、再生部１１５ａは、主系記憶部群１１３に異常がある場合、制御部１１１による制御に基づいて、予備系記憶部１１４に記憶されたコンテンツデータを再生（デコード）する。
【００３８】
ここで、主系記憶部群１１３に異常があるか否かについては、制御部１１１又は再生部群１１５のいずれが判定してもよい。また、再生部群１１５は、この判定の結果に基づいて、主系記憶部群１１３又は予備系記憶部１１４のいずれに記憶されたコンテンツデータを再生（デコード）するかを、制御部１１１による制御によらずに切り替えてもよい。
【００３９】
なお、再生部１１５ａ‐１〜１１５ａ‐Ｐは、分散処理により、コンテンツデータをそれぞれが分担して再生してもよい。また、コンテンツデータに画像データが含まれている場合、再生部１１５ａは、コンテンツデータを再生してベースバンド信号に変換する際に、例えば、画像フレームから部分画像を切り出してもよいし、画像フレームのアスペクト比を変換してもよい。
【００４０】
再生部群１１５は、バッファメモリを有していてもよい。このバッファメモリは、主系記憶部群１１３又は予備系記憶部１１４のいずれからコンテンツデータを取得して再生するかを切り替える際に、放送設備１５０及びモニタ装置１６０へのコンテンツデータの出力を途切れさせないために使用されてもよい。
【００４１】
放送設備１５０は、再生されたコンテンツデータを、ベースバンド信号によりサーバ装置１１０の再生部群１１５から受信する。放送設備１５０は、再生されたコンテンツデータを放送する。放送設備１５０は、有線又は無線のいずれによりコンテンツデータを放送してもよい。
【００４２】
モニタ装置１６０は、再生されたコンテンツデータを、ベースバンド信号によりサーバ装置１１０の再生部群１１５から受信する。モニタ装置１６０は、コンテンツデータとしての画像を、画面にプレビュー表示する。また、モニタ装置１６０は、コンテンツデータとしての音声を、スピーカ（不図示）から出力してもよい。
【００４３】
次に、サーバ装置１１０の動作手順例を説明する。
図３は、サーバ装置の動作手順例を示すフローチャートである。
（ステップＳ１）収録部群１１２は、コンテンツデータを、カメラ装置１２０、再生デッキ１３０及び編集装置１４０の少なくとも一つから受信する。なお、収録部群１１２は、主系記憶部群１１３に既に記憶されているコンテンツデータについては、そのコンテンツデータを改めて受信しなくてもよい。
【００４４】
（ステップＳ２）制御部１１１は、収録部群１１２に受信されたコンテンツデータを、主系記憶部群１１３に記憶させる。
（ステップＳ３）制御部１１１は、再生リスト（図２を参照）を操作端末１７０から受信して、識別コード及び再生開始時刻情報を再生リストから抽出する。
【００４５】
（ステップＳ４）制御部１１１は、現在時刻情報を時計部（不図示）から取得する。
（ステップＳ５）制御部１１１は、主系記憶部群１１３に記憶されたコンテンツデータのうち、これから再生しようとしている（例えば、現在時刻から未来方向への）予め定められた再生時間分のコンテンツデータを複製して、再生リストに基づいて、予備系記憶部１１４に記憶させる。
【００４６】
（ステップＳ６）制御部１１１は、主系記憶部群１１３に異常があるか否かを判定する。主系記憶部群１１３に異常がある場合（ステップＳ６：Ｙｅｓ）、制御部１１１は、ステップＳ７に処理を進める。一方、主系記憶部群１１３に異常がない場合（ステップＳ６：Ｎｏ）、制御部１１１は、ステップＳ８に処理を進める。
【００４７】
（ステップＳ７）再生部群１１５は、予備系記憶部１１４に記憶されたコンテンツデータのうち、現在時刻と等しい再生開始時刻に対応付けられた識別コードが示すコンテンツデータを再生する。制御部１１１は、ステップＳ９に処理を進める。
【００４８】
（ステップＳ８）再生部群１１５は、主系記憶部群１１３に記憶されたコンテンツデータのうち、現在時刻と等しい再生開始時刻に対応付けられた識別コードが示すコンテンツデータを再生する。制御部１１１は、ステップＳ９に処理を進める。
【００４９】
（ステップＳ９）制御部１１１は、操作端末１７０から終了指示を受信したか否かを判定する。終了指示を受信していない場合（ステップＳ９：Ｎｏ）、制御部１１１は、ステップＳ１に処理を戻す。一方、終了指示を受信した場合（ステップＳ９：Ｙｅｓ）、制御部１１１は、処理を終了する。
【００５０】
以上のように、サーバ装置１１０は、コンテンツデータを記憶する記憶部１１３ａ（主系記憶部群１１３）と、記憶部１１３ａ（主系記憶部群１１３）に記憶されたコンテンツデータの一部を記憶する予備系記憶部１１４と、コンテンツデータと、コンテンツデータの再生開始時刻と、に基づいて（例えば、図２を参照）、予め定められた再生時間分のコンテンツデータを予備系記憶部１１４に記憶させる制御部１１１と、を備える。
【００５１】
この構成により、制御部１１１は、予め定められた再生時間分のコンテンツデータを予備系記憶部１１４に記憶させる。これにより、実施形態のサーバ装置１１０は、再生部群１１５へのコンテンツデータの出力が途切れることによるコンテンツデータの再生障害を発生させないようにすることができ、かつ、装置費用を抑えることができる。
【００５２】
つまり、実施形態のサーバ装置１１０は、主系記憶部群１１３を多重化する必要がない。換言すれば、実施形態のサーバ装置１１０は、コンテンツデータを単純には複製（ミラーリング）しないので、必要以上のメモリ基板が不要であり、装置規模が小さい。また、実施形態のサーバ装置１１０は、小規模な放送局（例えば、地方局、ケーブルテレビ局）への導入が容易である。
【００５３】
また、制御部１１１は、再生時間分のコンテンツデータのうち、再生が終了していないコンテンツデータのみを、コンテンツデータの一部として予備系記憶部１１４に記憶させてもよい。例えば、制御部１１１は、これからオンエアさせる数時間分のコンテンツデータのみを、予備系記憶部１１４に複製する。
【００５４】
また、制御部１１１は、画像データ及び音声データの少なくとも一方を、コンテンツデータの一部として予備系記憶部１１４に記憶させてもよい。
また、制御部１１１は、記憶部１１３ａ（主系記憶部群１１３）の異常を検出した場合、予備系記憶部１１４に記憶されているコンテンツデータを、再生部群１１５に再生させてもよい。
【００５５】
[第２実施形態]
第２実施形態では、再生リストの項目が、第１実施形態と相違する。以下では、第１実施形態との相違点についてのみ説明する。
【００５６】
図４には、再生リストの第２例が表により示されている。再生リスト（オンエア・リスト）には、チャンネル番号と、識別コードと、再生開始時刻（オンエア時刻）と、再生時間とが、互いに対応付けられて予め登録されている。チャンネル番号は、コンテンツデータを識別するためのチャンネルを示す番号である。再生時間は、識別コードが示すコンテンツデータが再生される時間長を示す。
【００５７】
図４では、チャンネル番号「１」と、識別コード「Ａ１」と、再生開始時刻「０９：００：００：００Ｆ（Ｆはフレーム）」と、再生時間「２分」とが対応付けられている。また、チャンネル番号「１」と、識別コード「Ａ２」と、再生開始時刻「０９：０３：００：００Ｆ」と、再生時間「１０分」とが対応付けられている。また、チャンネル番号「１」と、識別コード「Ａ３」と、再生開始時刻「０９：１５：００：００Ｆ」と、再生時間「８分」とが対応付けられている。また、チャンネル番号「１」と、識別コード「Ａ４」と、再生開始時刻「０９：２５：００：００Ｆ」と、再生時間「２分」とが対応付けられている。また、チャンネル番号「１」と、識別コード「Ｂ１」と、再生開始時刻「１０：００：００：００Ｆ」と、再生時間「７分」とが対応付けられている。
【００５８】
また、図４では、チャンネル番号「３」と、識別コード「Ｃ１」と、再生開始時刻「０９：００：００：００Ｆ（Ｆはフレーム）」と、再生時間「１５分」とが対応付けられている。また、チャンネル番号「３」と、識別コード「Ｃ２」と、再生開始時刻「０９：１７：００：００Ｆ（Ｆはフレーム）」と、再生時間「１０分」とが対応付けられている。また、チャンネル番号「３」と、識別コード「Ｄ１」と、再生開始時刻「０９：３０：００：００Ｆ（Ｆはフレーム）」と、再生時間「１２分」とが対応付けられている。また、チャンネル番号「３」と、識別コード「Ｄ２」と、再生開始時刻「０９：４５：００：００Ｆ（Ｆはフレーム）」と、再生時間「１２分」とが対応付けられている。
【００５９】
再生部１１５ａ‐１〜１１５ａ‐Ｐ（図１を参照）は、コンテンツデータをチャンネル番号毎に分担して、再生してもよい。これにより、制御部１１１（図１を参照）は、チャンネル単位で、複数のコンテンツデータを並列に再生させることができる。
【００６０】
また、制御部１１１は、再生リスト（図４を参照）に基づいて、再生開始時刻に再生時間を加算して、再生終了時刻を算出する。制御部１１１は、現在時刻が再生終了時刻を経過したコンテンツデータを、予備系記憶部１１４から削除する。これにより、制御部１１１は、コンテンツデータについて、再生開始時刻のみならず、再生終了時刻までも細かく管理することができる。
【００６１】
以上述べた少なくともひとつの実施形態のサーバ装置によれば、予め定められた再生時間分のコンテンツデータを予備系記憶部１１４に記憶させる制御部１１１を備えることにより、再生部群１１５へのコンテンツデータの出力が途切れることによるコンテンツデータの再生障害を発生させないようにすることができ、かつ、装置費用を抑えることが可能となる。
【００６２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００６３】
例えば、実施形態のサーバ装置１１０は、少なくともその一部が、クラウドサーバ装置により構成されていてもよい。すなわち、実施形態のサーバ装置１１０が実行する処理の少なくとも一部は、クラウド・コンピューティングにより実行されてもよい。
【００６４】
このクラウド・コンピューティングには、アプリケーション（ソフトウェア）をサービスとして提供するＳａａＳ（Ｓｏｆｔｗａｒｅ ａｓ ａ Ｓｅｒｖｉｃｅ）と、アプリケーションを稼働させるための基盤（プラットフォーム）をサービスとして提供するＰａａＳ（Ｐｌａｔｆｏｒｍ ａｓ ａ Ｓｅｒｖｉｃｅ）と、サーバ装置、中央演算処理装置及びストレージなどのリソースをサービス（パブリッククラウド）として提供するＩａａＳ（Ｉｎｆｒａｓｔｒｕｃｔｕｒｅ ａｓ ａ Ｓｅｒｖｉｃｅ）とのうち、少なくとも一つが含まれていてもよい。例えば、このクラウド・コンピューティングには、クラウド・サービス提供層（ＰａａＳ）により、インターネットを介した遠隔操作が含まれていてもよい。
【００６５】
実施形態のサーバ装置１１０は、その監視、障害対応及び運用のうち少なくとも一つが、代行サービスにより行われていてもよい。例えば、ＡＳＰ（Ａｐｐｌｉｃａｔｉｏｎ Ｓｅｒｖｉｃｅ Ｐｒｏｖｉｄｅｒ）が代行して、サーバ装置１１０を監視、障害対応及び運用してもよい。また、実施形態のサーバ装置１１０は、その監視、障害対応及び運用が、複数の主体によりされてもよい。
【００６６】
なお、上記に説明したサーバ装置及びシステムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６７】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６９】
１００…サーバシステム、１１０…サーバ装置、１１１…制御部、１１２…収録部群、１１２ａ…収録部、１１３…主系記憶部群、１１３ａ…記憶部、１１４…予備系記憶部、１１５…再生部群、１１５ａ…再生部、１２０…カメラ装置、１３０…再生デッキ、１４０…編集装置、１５０…放送設備、１６０…モニタ装置、１７０…操作端末
【図１】
2015050692.tif 000003
【図２】
2015050692.tif 000004
【図３】
2015050692.tif 000005
【図４】
2015050692.tif 000006